(57)【要約】【課題】  生徒の学習意欲を高め、効果的に学力をアップし、なおかつ紛失等の事故がない学習用用紙を提供する。【解決手段】  問題欄６、正解欄（解答の見本７や問題の解説８等）及び解答欄９が記載されている各葉片の内、正解欄の解答の見本７を第二の隠蔽手段Ｘで覆い、重ね合わせにより対向する葉片と各種封緘手段により封緘する。【選択図】  図２
2005043847.tif 000002
【特許請求の範囲】
【請求項１】
少なくとも問題欄と正解欄及び解答欄が記載されると共に複数の葉片に区分された用紙を折り畳むか切り重ね、任意の対向面を封緘した折り畳み学習用用紙において、少なくとも前記正解欄が前記封緘された対向面の内面に隠蔽状態で記載されており、さらに少なくとも前記正解欄の任意の個所が第二の隠蔽手段により隠蔽されていることを特徴とした学習用用紙。
【発明の詳細な説明】
【発明の詳細な説明】
【技術分野】
【０００１】  本発明は各種学校や塾等で使用されている学習用用紙に関する。
【背景技術】
【０００２】  従来各種学校や塾等で行われる試験は問題用紙と解答用紙が別々であり、生徒達は問題の解答を解答用紙に記入し、問題用紙は手元に置いたまま解答用紙のみを提出していた。そしてその後に解答の見本や問題の解説等を配布してもらい、自分の解答の正誤を確認していた。
また問題欄、解答欄及び正解欄が各々１枚の用紙に記載された学習用用紙等を使用して個人で学習していた。
【発明が解決しようとする課題】
【０００３】  従来の方法では問題用紙、正解用紙及び解答用紙が別々のため、誤って何れかを紛失してしまうと自分の解答の正誤を確認することができなくなる。
また問題欄、正解欄及び解答欄が１枚の用紙に全て記載された学習用用紙の場合、解答を確認することが可能なため使用者の意志に任せるしかなく、そのため効果的に学力を向上させることが困難であった。
教える側としては生徒の学習意欲を高め、効果的に学力をアップし、なおかつ紛失等の事故がない学習用用紙を使用したいところである。
そこで本発明者は上記問題を解決するために、特願２００２−３８３６３６号及び特願２００３−４８２２４号に記載された「学習用用紙及び学習用用紙を組み込んだ冊子」を提案した。
前記発明は、一枚の用紙からなり正解欄に相当する部分を隠蔽状態に重ね合わせてなる学習用用紙であるが、この構成により上記問題は解消される。ところがそのような構成であっても生徒達が故意ではなく誤って開封し、解答の見本等を確認してしまう事故が新たに考えられる。
本発明は、上記問題に鑑み、その斬新なデザインや使用方法により生徒の学習意欲を高めると共に効果的に学力をアップすることができ、なおかつ紛失等の事故がなく、さらに誤って開封された場合にも対応可能な学習用用紙を提供するものである。
【課題を解決するための手段】
【０００４】  上記課題を解決するために本発明の学習用用紙は、少なくとも問題欄と正解欄及び解答欄が記載されると共に複数の葉片に区分された用紙を折り畳むか切り重ね、任意の対向面を封緘した折り畳み学習用用紙において、少なくとも前記正解欄が前記封緘された対向面の内面に隠蔽状態で記載されており、さらに少なくとも前記正解欄の任意の個所が第二の隠蔽手段により隠蔽されていることを特徴としている。
【０００５】  本発明の学習用用紙は、１枚の用紙に問題欄、正解欄、解答欄、解説欄等が記載されている。にもかかわらず学習者が学習中に封緘、隠蔽された正解や解説等を確認することができず、解答後に開封して解答や解説等を確認でき、さらに誤って開封した場合にも対応可能なことが最大の特徴となっている。
前記封緘手段は、公知の接着剤（粘着剤、感熱性接着剤、感圧性接着剤、感湿性接着剤等を含む）を公知の態様（液体状、個体状等）で使用することができる。
なおここでいう封緘状態は無理矢理剥がそうとすると紙材を破壊しなければならないような接着状態、若しくは塗布されている接着剤を破壊しなければならないような状態、又は前記両者が混合して現れる状態を指す。
このような状態であっても、例えば接着剤に各種添加剤を添加したり、各種パターン形状（例えば点状や帯状等）で塗布することにより接着面積を調整したり、さらに接着条件（例えば接着温度等）の調整等により剥離力を加減すれば、重要な情報記載部分を破壊して読めなくしてしまうことはない。
【０００６】  前記公知の接着剤は、本発明の学習用用紙に形成されている任意の対向面同士（正解等が内面に隠蔽されている）が、不用意に開封することがないように好ましくは周囲部分に塗布されている。そのため学習者は学習中に故意に開封しなければ内部の解答を確認することができない。
そのため例えば折り線を介して折り畳まれた場合の対向面には、折り線部分以外に３辺の開封辺を有する。この３辺に沿って帯状に接着剤を塗布し剥離不能に封緘状態にしてしまえばよいのである。仮に別体の用紙を重ね合わせたときには、４辺が開封辺になるため、この４辺を封緘すればよい。
【０００７】  開封部分に設けられる接着剤の塗布パターンに制限はない。
既述のように例えば帯状に塗布しておいてもよく、その場合剥離が容易になるように分割された帯状でも構わない。また要所要所に点状に分散して塗布し、開封時に紙面や接着剤の破壊が最小限にするようにすることもできる。さらに対向する面の両面に塗布しても、あるいは片面のみに塗布しても構わない。
要は開封部分の隙間から解答等を覗き込むことができず且つ紙材の破壊をできるだけ少なくするようなパターンであれば何でも採用することができる。
なお、紙材の破壊を極力避けたいのであれば接着剤に対する剥離性が強い塗工紙を使用したり、接着剤を塗布する紙材表面にベタ印刷やパターンによる印刷を施しておいてもよい。
さらに開封部分全周に渡り完全に接着してしまい、その内側に切り取りミシンを設けたり、はさみで切り落として開封するようにしておけばさらに隠蔽性、機密性が向上する。
【０００８】  本発明の学習用用紙において上記接着剤による封緘手段の他に対向面同士を剥離可能に接着（以下疑似接着という）する疑似接着媒体が採用できる。
例えば透明な支持体に熱可塑性樹脂を溶融押出しや塗工により剥離可能に積層し、さらにその両外側に感熱接着剤層を形成した疑似接着シートを好適に使用することができる。そのようにしてできた疑似接着シートを疑似接着予定の対向面間に挟み込み、全体を加熱・加圧して対向面の内面と疑似接着シートを接着することにより対向面同士を剥離可能に疑似接着するのである。
また、同様にシートを使用する方法として、透明な支持体に疑似接着層を形成した疑似接着シートを予め疑似接着予定面にラミネートし、折り合わせることにより疑似接着層同士を対向させ、加熱・加圧することにより対向面同士を疑似接着することもできる。
なお、これら疑似接着シートの構成に制限はなく、形成される層の数や形成方法及び材質等の選択は各種条件等に合わせて適宜行えばよい。
【０００９】  また公知の易剥離性の接着剤の他に業界で圧着紙、後糊方式、ニス引き方式等と称される天然ゴムや合成ゴムを主成分とした疑似接着性の感圧性接着剤やＵＶ系の疑似接着性のニスからなる疑似接着媒体等を前記疑似接着シートと同様に疑似接着予定面の必要部分（例えば既述の接着剤の場合と同様に開封口になる用紙の周囲部分に帯状に塗布する）や全面に塗布し加圧処理を施したり、または加熱・加圧を施すことにより疑似接着してもよい。
【００１０】  さらに、熱可塑性樹脂を紙繊維に混合したものも加熱・加圧処理により疑似接着するため好適に使用することができる。
また例えば前記疑似接着手段を既述の接着剤と組み合わせ、開封部分に帯状に接着剤を塗布しておきその内側の面を疑似接着するようにレイアウトしても構わない。
なお、学習用用紙に施される疑似接着手段の形成時期に制限はなく、全ての印刷に先立ち行われていてもよく、また印刷の前後に渡って行われても、さらに全ての印刷が完了した後に行われても構わない。
【００１１】  封緘される対向面の任意の個所（例えば解答の見本）は、誤って一部を開封しても、さらに第二の隠蔽手段により隠蔽されているためにそのままでは確認することができない。つまり二重の隠蔽構造になっているのである。
第二の隠蔽手段としては前記の接着剤や疑似接着手段による封緘方法をそのまま適用することができ、例えば前記封緘方法を備えたラベル片で正解欄（解答の見本や問題の解説等が記載されている）全体又はその中の隠蔽したい要所のみに貼付しておけばよい。
第二の隠蔽手段としては上記の他に、例えばスクラッチインキによる印刷や、剥離するとその形跡が残る公知のラベル及び再剥離性の弱粘着剤層からなるラベル等を好適に使用することができる。
【００１２】  前記接着剤や疑似接着手段による封緘は、一旦剥離してしまうと復元ができないため高い隠蔽性や機密性を発揮する。
従って、例えば１枚の学習用用紙の３分の１を折り畳み、表出した面に問題欄や解答欄を設けると共に、折り畳まれた対向面内面に正解欄（例えば解答の見本や問題の解説等）を記載し封緘しておけば、解答終了まで勝手に開封して解答内容を確認することができない。
また誤って一部を開封してしまっても、例えば解答が記載された重要な要所が第二の隠蔽手段により隠蔽されているために確認は不可能で、この時点で使用者は自分の過ちに気付く。
【００１３】  本発明は上記構成を備えることにより、解答終了後に解答欄の記載されている用紙が切り離し可能となり、解答提出後に問題欄、正解欄等が記載された１枚の用紙を持ち帰ることができる。さらに解答を切り離ず自習用として使用する場合には全ての欄が連続していることになり、従来細分化されてされていた各種用紙が１枚に集約されているため、各欄の一部を紛失するようなことは起こらないのである。
【００１４】  １枚の用紙の折り畳み形態に制限はない。例えば単純に折り返しを１個所にしてもよく、また断面Ｚ字状に折り畳み発生する２個所の対向面を封緘してもよい。さらにそれ以上の折りを含む形態も可能で、前記断面Ｚ字状の折り形態の他にも巻き折りや蛇腹折り、観音開き折りやそれら折りの形態を混合して用いても構わない。
また折り畳みに限らず切り離された用紙を重ね合わせることにより構成することもでき、折り畳みや切り重ねが混在する構成でも構わない。
さらに１枚の用紙にこだわらず、例えば複数の問題が記載されている冊子の一部分に前記折返しを形成した頁を設けても構わず、そのような頁が複数に渡り綴じられていても構わない。
【発明を実施するための最良の形態】
【００１５】  本発明の実施の形態を以下の実施例に基づき図面を参照して説明する。
図１（Ａ）、（Ｂ）は２個所の折返しを有する学習用用紙の表面図と裏面図をそれぞれ表す。図２（Ａ）、（Ｂ）は図１の学習用用紙をわかりやすく説明する斜視図と側面図をそれぞれ表す。図３（Ａ）、（Ｂ）は断面Ｚ字状に折り畳まれた学習用用紙の表面図を表す。図４（Ａ）、（Ｂ）は図３の学習用用紙をわかりやすく説明する斜視図と側面図をそれぞれ表す。図５（Ａ）、（Ｂ）は断面Ｚ字状の別な態様の表面図と裏面図をそれぞれ表す。図６（Ａ）、（Ｂ）は図５の学習用用紙をわかりやすく説明する斜視図と側面図をそれぞれ表す。図７（Ａ）、（Ｂ）は断面Ｚ字状の更に別な態様の学習用用紙の表面図と裏面図をそれぞれ表す。図８（Ａ）、（Ｂ）は図７の学習用用紙をわかりやすく説明する斜視図と側面図をそれぞれ表す。図９（Ａ）、（Ｂ）、（Ｃ）は本発明の学習用用紙を冊子に組み込んだ場合の斜視図と側面図をそれぞれ表す。図１０（Ａ）、（Ｂ）は第二の隠蔽手段を施した正解欄の平面図と（Ａ）におけるＹ−Ｙ断面図をそれぞれ表す。図１１は第二の隠蔽手段の変形例の平面図を表す。図１２は爪により開封縁辺を固定した様子を示す斜視図を表す。
以下図面に沿って本発明をわかりやすく説明する。
（実施例１）【００１６】  まず本発明の一番基本的な形態の学習用用紙について説明する。
図１（Ａ）に示すように本実施例の学習用用紙Ｓ１は第１葉片１、第２葉片２及び第３葉片３が折り線４及び５（各折り線は必ずしも表示される必要はなく、ミシン目で形成しても構わない。）を介して連接されている。第１葉片１表面には問題欄６が記載されている。また第２葉片２表面の正解欄には解答の見本７及び問題の解説８が記載されると共に、解答の見本部分は斜線で示すようにスクラッチインキの印刷や既述の剥離可能な隠蔽手段Ｘにより被覆され視認不可能になっている。そしてこの第２葉片２の折り線５を除く３周辺には接着剤Ｇが塗布されている。さらに格子状の斜線で示す第３葉片３表面には、必要とあれば各種パターン又は網掛けやベタ印刷等が全体又は部分的に施され、折り線５から折り畳んだ場合に対向する正解欄が外部から確認し辛いように設計されている。この第３葉片３の折り線５を除く３周辺にも接着剤Ｇが塗布され、折り線５から折り込むと第２葉片の接着剤Ｇとそれぞれ対応するようになっている。
そして同図（Ｂ）に示すように第３葉片３裏面には解答欄９が記載され、第２葉片２及び第１葉片１裏面には広告や宣伝、各種催し物や試験の日程等一般情報１０が記載されている。勿論白紙のままでも構わない。【００１７】  そして図２（Ａ）及び（Ｂ）に示すように、解答の見本７と問題の解説８等が記載される正解欄が設けられた第２葉片２表面と第３葉片３表面同士が折り合わされ、対向する接着剤Ｇにより封緘される。【００１８】  この学習用用紙Ｓ１の使用方法は、まず第１葉片１に記載される問題欄６から問題を読み取り、その右隣に配置される解答欄９に順次解答を記入する。そして解答終了後に封緘されている第２葉片２表面と第３葉片３表面を開封し、解答欄の記載されている第３葉片３を折り線５から切り離して（予め切り離しておいてもよい。その場合は第２葉片２及び第３葉片３の折り線５部分にも接着剤を塗布する必要がある。）提出する。その後残りの繋がった各葉片を持ち帰り、第２葉片２の表面正解欄に形成されている第二の隠蔽手段のスクラッチインキを擦り剥がしたり、既述の手段により剥離可能に被覆しているラベル等を剥ぎ取ることにより、露出した解答の見本７を参照し自分の解答を採点する。そして問題の解説８を参照し自分が解くことができなかった問題を解き直し再確認するのである。【００１９】  この学習用用紙Ｓ１は、封緘されている第２葉片２と第３葉片３を開封して解答前に解答を確認しようとすると、一旦剥離された前記各葉片が復元しないためにその行為が明らかになってしまう。そのため隠蔽性と機密性に優れるという大きな特徴を有している。そして万が一誤って一部を剥離しても第二の隠蔽手段を施されている解答を確認することができないので、この段階で不正を防止する文言等が露出し警告を促すようにしておけば（例えば第二の隠蔽手段の表面等）、故意に盗み見をすることをさらに抑制することができる。
（実施例２）【００２０】  次に図３及び図４に沿って本発明の学習用用紙の別な態様を説明する。
図３（Ａ）に示すように学習用用紙Ｓ２は、第１葉片２１表面に問題欄６、正解欄が設けられた第２葉片２２と第３葉片２３の各表面に解答の見本７（斜線で示す部分がスクラッチインキの印刷や既述の剥離可能な隠蔽手段Ｘにより被覆され視認不可能になっている。）と問題の解説８が、そして第４葉片２４表面に解答欄９がそれぞれ記載されており、各葉片は区切り線２５（必ずしも表示する必要はない）、折り線２６、２７（必ずしも表示する必要はなくミシン目で形成しても構わない）を介して互いに連接されている。そして第２葉片２２と第３葉片２３の周辺に前記実施例と同様に接着剤Ｇが塗布されている。
そして同図（Ｂ）に示すように裏面は白紙状態であるが、一般情報１０や場合によっては解答の見本７や問題の解説欄８等を記載しても構わない。【００２１】  この学習用用紙Ｓ２は図４（Ａ）、（Ｂ）に示すように断面Ｚ字状に折り畳まれ、第２葉片２２と第３葉片２３表面同士が周辺に設けられた接着剤Ｇにより封緘される。なお、第３葉片２３と第４葉片２４の裏面同士も同様に接着剤Ｇにより封緘しても構わず、そのようにすれば第４葉片２４を予め折り線２７で切り離しておくことができると共に、第４葉片２４が他の葉片と一体化しているので全体として１枚の用紙の体裁になるため取扱が至便である。勿論封緘部分に解答の見本欄７や問題の解決欄８等をさらに記載しても構わない。
その他、使用方法等については前記実施例１に準じるため省略する。
（実施例３）【００２２】  さらに図５及び図６に沿って本発明の学習用用紙のさらに別な態様を説明する。
図５（Ａ）に示すように学習用用紙Ｓ３は、第１葉片３１表面に問題欄６が記載され、正解欄が設けられた第２葉片３２及び第３葉片３３の各表面に解答の見本７（斜線で示す部分がスクラッチインキの印刷や既述の剥離可能な隠蔽手段Ｘにより被覆され視認不可能になっている。）と問題の解説８がそれぞれ記載されている。さらに第４葉片３４表面には解答欄９が記載されており、それら各葉片が折り線３５、３６、区切り線３７を介して互いに連接されている。そして第２葉片３２と第３葉片３３の周辺に前記実施例と同様に接着剤Ｇが塗布されている。第１葉片３１は他の葉片のほぼ倍の大きさで、
同図（Ｂ）に示すように裏面も同じレイアウトが施されているため葉片３１裏面には解答の見本７’と解答欄９’がそれぞれ対応し記載されている。そして第２葉片３２と第１葉片３１の半分の周辺に前記実施例と同様に接着剤Ｇが塗布されている。【００２３】  この学習用用紙Ｓ３は図６（Ａ）、（Ｂ）に示すように断面Ｚ字状に折り畳まれ、第２葉片３２と第３葉片３３表面同士及び第２葉片３２と第１葉片３１裏面の半分同士が接着剤Ｇにより封緘される。
本実施例は解答欄９が記載される第４葉片３４（若しくは第１葉片３１裏面半分の解答欄９’が記載される部分。）を切り取ることを前提としていない。従って生徒の自習用として使用するものであるが、必要に応じて区切り線３７、３８を切り取り線に変え、最後に切り離して提出するようにしても構わない。
その他、使用方法等については前記実施例１に準じるため省略する。
（実施例４）【００２４】続いて図７及び図８に沿って本発明の学習用用紙のさらに別な態様を説明する。
図７（Ａ）に示すように学習用用紙Ｓ４は、第１葉片４１表面に解答欄９’、第２葉片４２表面に問題欄６、正解欄が設けられた第３葉片４３及び第４葉片４４表面に解答の見本７（斜線で示す部分がスクラッチインキの印刷や既述の剥離可能な隠蔽手段Ｘにより被覆され視認不可能になっている。）及び問題の解説８がそれぞれ記載されている。そして各々の葉片は折り線４５、４７及び区切り線４６を介して互いに連接されている。第３葉片４３と第４葉片４４の周辺には前記実施例と同様に接着剤Ｇが塗布されている。
第２葉片４２は他の葉片のほぼ倍の大きさで、同図（Ｂ）に示すように裏面も同じレイアウトが施されているため第２葉片４２裏面には問題欄６’の半分と解答の見本７’がそれぞれ対応し記載されている。そして第２葉片４２の半分と第１葉片４１の周辺に前記実施例と同様に接着剤Ｇが塗布されている。【００２５】  そして図８（Ａ）、（Ｂ）に示すように、第１葉片４１裏面と第２葉片４２裏面の半分同士及び第４葉片４４と第３葉片４３の表面同士が接着剤Ｇにより封緘される。
本実施例は解答欄９’及び９が記載される第１葉片４１表面と第４葉片４４裏面を切り取ることを前提としていない。従って生徒の自習用として使用するものであるが、必要に応じて折り線４５、４７を切り取り線に変え、最後に切り離して提出するようにしても構わない。
その他、使用方法等については前記実施例１に準じるため省略する。
（実施例５）【００２６】  図９は前記実施例１の学習用用紙Ｓ１を冊子に組み込んだ場合で、問題の量が多い場合（図やイラスト及び表等で多くの面積を必要とする場合等）に有効である。同図（Ａ）は学習用用紙Ｓ１を１枚組み込んでいるが、複数（場合によっては全頁に渡って）組み込んでも構わない。
なお、同図（Ｂ）、（Ｃ）に示すように、組み込まれた学習用用紙は、折り畳むことにより全体として一冊の冊子に納めることが可能である。
また実施例５の冊子に組み込まれる学習用用紙は、前記実施例１の形態に限られることはなく、他の実施例に記載される形態やそれを応用した形態の学習用用紙を組み込むことも可能である。【００２７】  なお、本発明は以上の実施例に限定されるものではない。
第二の隠蔽手段は図１０に示すように、例えば解答の見本全体を覆うように施してもよく、図１１に示すように必要な部分のみに施しても構わない。
また解答の見本のみならず問題の解説部分に施しても構わず、さらに他の表出する部分に第二の隠蔽手段と同様のものが施されていても構わない。
なお第二の隠蔽手段の形状や大きさには何ら制限はなく、使用者の興味を引くようなデザイン的な形状を採用することも可能である。【００２８】  本実施例２乃至４では封緘される対向面に設けられた正解欄に記載される解答の見本７と問題の解説８が、折り線を境に区分けされて記載されているが、必ずしもその必要はない。すなわち解答の見本や問題の解説等は隠蔽される対向面の何れかの場所に配置されていればよく、さらに一般情報等の他の欄が混在していても構わない。
また解答の見本と問題の解説の両者が必ずしも正解欄に記載される必要もなく、何れか一方だけが記載されていても構わない。
さらに封緘されている２葉片の何れか（場合によっては両方共）の任意の部分を窓状にくり抜いたり、また窓状の部分をくり抜かずに捲るようにしてもよい。
なお、正解欄に記載される解答の見本や問題の解説等を外部から読み取りにくいようにするために網掛け印刷にしたり、また対向する面に施されている模様やパターン等と同様の色のインキを選択することも可能である。
そして開封後に開封縁辺が不用意に開かないように、図１２（Ａ）、（Ｂ）に示すように開封縁辺に対応する下側の用紙にトムソン等により爪状のスリット打ち抜いておけば、その部分を持ち上げて開封縁辺に引っかけて固定することも可能である。
【発明の効果】
【００２８】  本発明の学習用用紙は以上のように構成されているので、１枚の用紙に問題欄、正解欄（問題の解説及び解答の見本等）、解答欄等が記載されているにも係わらず、勝手に解答を確認することができないので、優れた隠蔽性と機密性有している。そして正解欄の解答の見本が第二の隠蔽手段により隠蔽されているので二重の機密性を有すると共に、誤って解答の見本を確認することがなくなる。
また、前記特徴を利用して、斬新なデザインや使用方法を施すことにより生徒の興味を強く引き付けると共に学習意欲を高め、効果的に学力をアップすることができる。
さらに複数の用紙に分けて各欄が記載されていないので、紛失等の事故も起こらない。
【図面の簡単な説明】
【図１】  （Ａ）及び（Ｂ）は１個所の折返しを有する学習用用紙の表面図と裏面図をそれぞれ表す。
【図２】  （Ａ）及び（Ｂ）は図１の学習用用紙をわかりやすく説明する斜視図と側面図をそれぞれ表す。
【図３】  （Ａ）及び（Ｂ）は断面Ｚ字状に折り畳まれた学習用用紙の表面図を表す。
【図４】  （Ａ）及び（Ｂ）は図３の学習用用紙をわかりやすく説明する斜視図と側面図をそれぞれ表す。
【図５】  （Ａ）及び（Ｂ）は断面Ｚ字状の別な態様の表面図と裏面図をそれぞれ表す。
【図６】  （Ａ）及び（Ｂ）は図５の学習用用紙をわかりやすく説明する斜視図と側面図をそれぞれ表す。
【図７】  （Ａ）及び（Ｂ）は断面Ｚ字状の更に別な態様の学習用用紙の表面図と裏面図をそれぞれ表す。
【図８】  （Ａ）及び（Ｂ）は図７の学習用用紙をわかりやすく説明する斜視図と側面図をそれぞれ表す。
【図９】  （Ａ）、（Ｂ）、（Ｃ）は本発明の学習用用紙を冊子に組み込んだ場合の斜視図と側面図をそれぞれ表す。
【図１０】  （Ａ）、（Ｂ）は第二の隠蔽手段を施した正解欄の平面図と（Ａ）におけるＹ−Ｙ断面図をそれぞれ表す。
【図１１】  第二の隠蔽手段の変形例の平面図を表す。
【図１２】  爪により開封縁辺を固定した様子を示す斜視図を表す。
【符号の説明】
Ｇ  接着剤
Ｘ  第二の隠蔽手段
Ｓ１、Ｓ２、Ｓ３、Ｓ４  学習用用紙
１、２、３、２１、２２、２３、２４  葉片
３１、３２、３３、３４、４１、４２、４３、４４  葉片
４、５、２６、２７、３５、３６、４５、４７  折り線
２５、３７、３８、４６、４８  区切り線
６、６’  問題欄
７、７’  解答の見本
８、８’  問題の解説
９、９’  解答欄
ｔ  爪
【図１】
2005043847.tif 000003
【図２】
2005043847.tif 000004
【図３】
2005043847.tif 000005
【図４】
2005043847.tif 000006
【図５】
2005043847.tif 000007
【図６】
2005043847.tif 000008
【図７】
2005043847.tif 000009
【図８】
2005043847.tif 000010
【図９】
2005043847.tif 000011
【図１０】
2005043847.tif 000012
【図１１】
2005043847.tif 000013
【図１２】
2005043847.tif 000014